(57)【要約】【課題】ヒートポンプ式給湯機において、通常使用時に停電が発生し電力供給が断たれた場合でも長時間に亘って確実に凍結防止が行なえ、凍結防止弁装置の弁作動の省エネを図ることのできるシステムを提供する。【解決手段】ヒートポンプユニットからタンクユニットのタンクまでの湯を供給する配管途中、逆止弁と自己保持型絞り付き電磁排水弁になる凍結防止バルブ装置を設け、停電時瞬時の信号により開弁し、排水量を絞って少量の水を排水し続けることで、配管中に水の流れを発生させ、ヒートポンプ式給湯機の凍結を防止する。【選択図】図１
2010281533.tif 000002
【特許請求の範囲】
【請求項１】
（Ａ）ヒートポンプユニット、タンクユニット及び前記両ユニット間に接続される往き管及び戻り管の配管を備え、給水を加熱し貯蔵し給湯可能なヒートポンプ式給湯機において、
（Ｂ）湯を供給する戻り管の途中に、貯湯タンクへの給湯を許容する逆流防止弁と、通常閉弁し停電時その際の瞬時信号により開弁して戻り管の分岐排水を可能にすると共に、開弁状態に自己保持される電磁排水弁とを一体化して装着する弁箱を有した凍結防止弁装置を備え、
（Ｃ）当該凍結防止弁装置はその自己保持型電磁排水弁を、瞬間信号により弁開閉作動し各弁開閉位置に保持可能にするともに、電磁排水弁の開弁時に弁座の絞り孔を通じて制限的に排水し、往き管から戻り管に接続された凍結防止弁装置の排水継手までの排水ライン内に継続的な排水流れを創成したことを特徴とするヒートポンプ式給湯機の凍結防止システム。
【請求項２】
（ａ）ヒートポンプユニットとタンクユニットの間の戻り管に接続され、戻り管から分岐排水を可能にする凍結防止弁装置を、逆流防止弁と、通常閉弁し電磁石への信号付加により開弁すると共に開弁位置に自己保持される電磁排水弁とから構成し、
（ｂ）その流入口を戻り管のヒートポンプユニット側に、その流出口を戻り管のタンクユニット側にそれぞれ接続される２方口継ぎ手管を弁本体とする前記逆流防止弁は、２方口継ぎ手管の内部に、貯湯タンクへ給湯のみを許容する逆止弁として装着配置されると共に、当該継ぎ手管の逆止弁体の上流側管壁に連絡横孔を備え、（ｃ）前記電磁排水弁は、電磁石と永久磁石を備えばね負荷常閉型弁を開弁する自己保持型電磁弁として弁箱のバイパス路と排水路との間の電磁排水弁装着部に装着されると共に、弁座には電磁排水弁の開栓排水時に排水を制限する絞り孔を備えてなり、
（ｄ）凍結防止弁装置は、逆流防止弁を配置した継ぎ手管の外周に前記弁箱を回動自在に装着接続して、前記弁箱に装着された電磁排水弁と逆流防止弁との一体化構造となすと共に、継ぎ手管と弁箱と接続状態で弁箱のバイパス路を継ぎ手管の横孔と連通し電磁排水弁の開弁時、排水路を通じて排水可能とされ、
（ｅ）凍結防止弁装置は、電磁排水弁の電磁石と永久磁石を有した駆動部に受けた瞬時信号により開弁自己保持位置に操作可能とされ、電磁排水弁の開弁位置において絞りながら排水すると共に往き管から戻り管に接続された凍結防止弁装置の排水継手までの排水ライン内に継続的な排水流れを創成し、一方逆流防止弁により貯湯タンクからの給湯の逆流を停止することを特徴とするヒートポンプ式給湯機の凍結防止システムの凍結防止弁装置。
【請求項３】
請求項２記載の凍結防止弁装置において、前記弁箱の装着される電磁排水弁に対し本体の絞り孔にバイパス路を連絡させて継ぎ手管装着部を形成した弁箱を備える凍結防止弁装置。
【請求項４】
請求項２記載の凍結防止弁装置において、前記弁箱の装着される電磁排水弁に対し本体の横孔にバイパス路を連絡させて継ぎ手管装着部を形成した弁箱を備える凍結防止弁装置。
【発明の詳細な説明】
【技術分野】
【０００１】
本発明はヒートポンプ式給湯機における凍結防止システムとその凍結防止弁装置に係り、通常使用時において停電が発生した場合の排水を省エネ動作でありながら確実に実行でき、且つヒートポンプ式給湯機の凍結防止システムと当該システムの凍結防止ライン内に簡単にインライン組み込みすることのできる凍結防止弁装置に関する。
【背景技術】
【０００２】
近年、ＣＯ２排出量の増大による環境問題や、石油をはじめとする化石燃料の枯渇問題などから、火を使わないで周囲から集熱して湯を沸かすヒートポンプ式給湯機（以下、ここでは「給湯機」と略称する）が普及している。
図６は、その給湯機の構造の模式図を示す。この図６において、給湯機の給湯系は、基本的に供給水を加熱することのできるヒートポンプユニット、湯を送給する戻り管、湯を蓄積することのできるタンクユニット、及び往き管により構成される。ここで、ヒートポンプユニット内で加熱されてできた湯は、戻り管を介してタンクユニットに送られて貯められ、このタンクユニットからさらに給湯配管を介して台所などの末端器具へと給湯のため供給される。往き管は、給水配管を介してタンクユニットに蓄積された給水を加温すべく前記ヒートポンプユニットに送るための送水管である。
このタンクユニット１３における温水は、タンクユニット１３内に設置の貯水タンク１３ａに貯蔵される。この場合、貯水タンク内の水はその上層部側では貯水タンク上方からの湯の供給により温水となり、下層部側では貯水タンク下方底部給水配管１６からの給水により低温度の常温水であり、また貯水タンク下方に接続される往き管１４を通じてヒートポンプユニット１１へと給水可能となっている。
【０００３】
このような給湯機１は寒冷地でも使用されているが、寒冷期の凍結事故を防ぐための対策を講じる必要があり、このため、いくつかの凍結防止対策が試みられてきた。
例えば、長期間不在となる場合の凍結防止対策については、給湯機自体の水抜き作業や、湯水抜栓（一例として、本出願人による特開２００４−３６２０７号公報）の操作により給水配管の水および給湯配管の湯を、湯水抜栓を介して地中に排水させる。この場合、凍結防止対策は建物全体の配管に対し行われ、この時、給湯機の電源は「切」の状態にする。
上記給湯機１の寒冷期の使用時においては、戻り管１２および往き管１４の一部が外気に曝されていることから、通常使用時においても湯を使用しない時間が長ければ長いほど、特に外気に曝された戻り管および往き管の一部が凍結し始め、この部分的凍結が波及し、給湯機自体までもが凍結する恐れがあった。その凍結防止対策として、外気温度が給湯機の設定された凍結防止基準外気温以下である時、自動的にポンプを駆動させて給湯機内に水もしくは湯を循環し凍結を回避する制御によるもの（特開２００３−２１４７００号公報）や、タンクユニットに凍結予防ヒーターが内蔵しているもの、さらには戻り管および往き管に電気を用いて保温するテープヒーターを設けるものなどがある。
しかしながら、上記した通常使用時の凍結防止方法としての、水循環又はヒーター加熱は、いずれにおいても電力が常時供給されている条件のもとで可能な対応であり、停電時においてはこの凍結対策がおこなえない問題を抱えていた。
停電が予知されている場合であって、さらに使用者が自宅に居るときには、電力供給が停止されても長期間不在の場合に行う上記の凍結防止対策を行うことで対処できるが、一般には停電は不意の発生がほとんどであり、不意の停電時に外出している場合には停電が発生すると凍結防止対策の対応方法がとれないものであった。
そこで、通常使用時において停電が発生した場合に、電力供給が無くなった場合でも、対応できる給湯機の凍結防止対策が要望され、停電時においても凍結防止を図り、給湯熱交換器及び水配管の破損を防止できるヒートポンプ式給湯装置として、ドレン排水経路に、温度に応じて開閉する開閉弁として形状記憶合金などの温度感応素子によって動作する凍結防止弁を配置し、この温度感応素子作動型凍結防止弁の代わりに、通電時に閉成し停電時に開成する電磁弁を用いるものも提案された。しかし、凍結防止弁が誤作動して通常の温度時に開いたままになり、排水を止めることができない虞のあるものであった。このため、凍結防止弁が誤作動して通常の温度時に開いたままになっても、無駄な排水を止めることができるように、凍結防止弁と電磁弁を併設し、通電時に電磁弁を閉成させるものであった（特開２００８−３０９３９１号公報）。上記の電磁弁は感熱素子作動排水用開閉弁になる凍結防止弁との併用構造を取るもので、二つの異なった作動形式の排水弁を使用するため複雑な配管構造をなすものであった。
【先行技術文献】
【特許文献】
【０００４】
【特許文献１】特開２００３−２１４７００号公報
【特許文献２】特開２００８−３０９３９１号公報
【発明の概要】
【発明が解決しようとする課題】
【０００５】
本発明は、上記の課題を解決するために、通常使用時において停電が発生した場合に、電力供給が無くなった場合でも凍結防止対策の対処を一層確実に実行し、対応できる給湯機の凍結防止システムを提供するものであり、停電発生時に凍結防止流れを水温加味した必要最小限の流水量をもつ流れとして創成しつつ排水させると共に、電源喪失時でもその操作に際しては省エネ操作により簡単に排水弁の作動を可能にし、且つ開弁には少量排水を確実に実行できる凍結防止弁装置を組んだ凍結防止システムを提供し、またヒートポンプ式給湯機の凍結防止システムライン内に逆流防止弁と一体的に組み込んだ凍結防止弁装置により、簡単にインライン組み込みすることのできる凍結防止弁装置を提供する。
【課題を解決するための手段】
【０００６】
本発明は、上記課題を解決するために、先のヒートポンプ式給湯装置のように電磁弁と凍結防止弁の併用構造を取ることなく、自己保持型電磁排水弁と逆流防止弁との一体的な凍結防止弁装置によって、第１には、（Ａ）ヒートポンプユニット、タンクユニット及び前記両ユニット間に接続される往き管及び戻り管の配管を備え、給水を加熱し貯蔵し給湯可能なヒートポンプ式給湯機において、（Ｂ）湯を供給する戻り管の途中に、貯湯タンクへの給湯を許容する逆流防止弁と、通常閉弁し停電時その際の瞬時信号により開弁して戻り管の分岐排水を可能にすると共に、開弁状態に自己保持される電磁排水弁とを一体化して装着する弁箱を有した凍結防止弁装置を備え、（Ｃ）当該凍結防止弁装置はその自己保持型電磁排水弁を、瞬間信号により弁開閉作動し各弁開閉位置に保持可能にするともに、電磁排水弁の開弁時に弁座の絞り孔を通じて制限的に排水し、往き管から戻り管に接続された凍結防止弁装置の排水継手までの排水ライン内に継続的な排水流れを創成することを特徴とするヒートポンプ式給湯機の凍結防止システムを提供する。
また本発明は、第２には、（ａ）ヒートポンプユニットとタンクユニットの間の戻り管に接続され、戻り管から分岐排水を可能にする凍結防止弁装置を、逆流防止弁と、通常閉弁し電磁石への信号付加により開弁すると共に開弁位置に自己保持される電磁排水弁とから構成し、（ｂ）その流入口を戻り管のヒートポンプユニット側に、その流出口を戻り管のタンクユニット側にそれぞれ接続される２方口継ぎ手管を弁本体とする前記逆流防止弁は、２方口継ぎ手管の内部に、貯湯タンクへ給湯のみを許容する逆止弁として装着配置されると共に、当該継ぎ手管の逆止弁体の上流側管壁に連絡横孔を備え、（ｃ）前記電磁排水弁は、電磁石と永久磁石を備えばね負荷常閉型弁を開弁する自己保持型電磁弁として弁箱のバイパス路と排水路との間の電磁排水弁装着部に装着されると共に、弁座には電磁排水弁の開栓排水時に排水を制限する絞り孔を備えてなり、（ｄ）凍結防止弁装置は、逆流防止弁を配置した継ぎ手管の外周に前記弁箱を回動自在に装着接続して、前記弁箱に装着された電磁排水弁と逆流防止弁との一体化構造となすと共に、継ぎ手管と弁箱と接続状態で弁箱のバイパス路を継ぎ手管の横孔と連通し電磁排水弁の開弁時、排水路を通じて排水可能とされ、（ｅ）凍結防止弁装置は、電磁排水弁の電磁石と永久磁石を有した駆動部に受けた瞬時信号により開弁自己保持位置に操作可能とされ、電磁排水弁の開弁位置において絞りながら排水すると共に往き管から戻り管に接続された凍結防止弁装置の排水継手までの排水ライン内に継続的な排水流れを創成し、一方逆流防止弁により貯湯タンクからの給湯の逆流を停止することを特徴とするヒートポンプ式給湯機の凍結防止システムの凍結防止弁装置を提供する。
【０００７】
さらに、詳細に述べれば、本発明は、ヒートポンプ式給湯機のヒートポンプユニットからタンクユニット内の貯湯タンクへ湯を供給する配管途中に設けた、電磁排水弁と逆流防止弁からなる凍結防止弁装置である。この凍結防止弁装置は、通常ばね付勢閉止され通電遮断時に開弁自己保持する電磁排水弁と、逆流防止弁とを含み、両者を一つのユニットとして組み立てた弁装置として構成される。ここで、凍結防止弁装置における上記電磁排水弁は、ばね負荷常閉型で開弁状態自己保持可能な２方口電磁弁の形態をなす。この電磁排水弁について図４により概説する。
ソレノイド及び永久磁石を内設し固定鉄心を備えるフレームと弁座を備えた本体からなるケース内に、プランジャが収容されている。プランジャの先端にはピストン及び止水球等の止水弁部が設けられる。止水弁部は、ピストンを介して弁座方向に押圧する閉弁方向付勢のばねにより通常閉弁している。永久磁石により、ソレノイドの通電時にプランジャを固定鉄心側に吸引した際に、通電が一時的で解除された後も、プランジャを固定鉄心に磁着された状態に保持する磁気自己保持回路が形成される。以上において、フレームと本体はカバーの螺着により一体的に組み立てられ、自己保持型電磁排水弁ユニットを構成している。
【０００８】
一方、戻り管の途中に、ヒートポンプユニットからタンクユニットへの給湯を許容する逆流防止弁は、図３に示すように、その弁本体は２方口継ぎ手管構造の管継ぎ手であり、流入口、流出口を有する内部通路に逆流防止弁が着脱可能に装着される。管継ぎ手の外周に半径方向に連絡横孔が穿設されている。さらに、連絡横孔の穿設された管継ぎ手の外周に、図３で示すように、別途弁箱が回動自在に装着設置される。
弁箱には前記連絡横孔と連通する環状通路（図４参照）を含むバイパス路が形成されると共に、ドレン通路を形成する排水継手などの排水口を備え、また、前記バイパス路と排水口の途中に形成された空間に電磁排水弁を自己保持型電磁排水弁ユニットとして嵌合装着した電磁排水弁装着部を備える。弁箱は、図１に示すように３次元的形状をなし、管継ぎ手と同軸方向の開口を有する継ぎ手管装着部、継ぎ手管装着部に図面水平方向で直交する電磁排水弁装着部及び電磁排水弁装着部に垂直方向下方で直交する排水口となる排水継手を備える。
弁箱の継ぎ手管装着部に、逆流防止弁の弁本体となる継ぎ手管を嵌合挿通し、継ぎ手管の流入口と流出口の間の連絡横孔に位置させて継ぎ手管を装着する。この位置において継ぎ手管との間に環状通路が形成され、継ぎ手管の流入口は連絡横孔、環状通路に続き、弁箱内のバイパス路へと連通可能となる。
さらにこの弁箱には電磁排水弁装着部の凹部を備え、電磁排水弁が装着される。電磁排水弁はその装着本体の下端に絞り孔の弁口を有し、周壁に横孔を備えている。この弁箱は、前記バイパス路に続いて電磁排水弁の絞り孔と横孔を介して連通する排水口となる排水継手を有する。
本発明は、前記電磁排水弁と逆流防止弁の両者を一体的に組み込んでユニット化した凍結防止弁装置は、好ましくはヒートポンプ式給湯機のヒートポンプユニットからタンクユニット内のタンクへ湯を供給する戻り管の途中に設けられる。
【発明の効果】
【０００９】
本発明によれば、凍結防止弁装置を給湯機のヒートポンプユニットからタンクユニット内のタンクへ湯を供給する配管途中に設け、この凍結防止弁装置により排水時には絞り孔からの排水量が抑制されることにより、給湯機の通常使用時に停電が発生しても、蓄電していた電力を用いてバルブを開栓させ少量の水を排水し続ける。さらに詳細には、排水時には、逆流防止弁によってタンクユニット内の湯が直に排水されることはなく、往き管から戻り管、凍結防止弁装置への排水ラインが確実に形成され、したがって給湯機システムの寒気に曝されがちな往き管から戻り管、凍結防止弁装置への排水ラインにおいて、水の流れを継続的に発生させることができるので、停電時に電力供給が無くても凍結防止対策を有効に行うことができる。
本発明によれば、（ａ）凍結防止弁装置は逆流防止弁と電磁排水弁を１つの弁箱に組み込み可能とし、（ｂ）前記逆流防止弁が前記弁箱に継ぎ手管を回動自在に装着される２方口継ぎ手管を利用するものであり、（ｃ）電磁排水弁を装着した弁箱には、継ぎ手管の流入口からバイパス路介して排水口へ通じる通路が形成されてユニット化されているので、継ぎ手管の両端部をタンクユニット直前の戻り配管に直接結合することで、凍結防止弁装置をインライン組立することができる。
また本発明によれば、電磁排水弁は、常時はばね負荷により閉弁され、停電時には、電磁力により開弁させ、開弁後永久磁石により開弁状態に自己保持される自己保持型電磁弁として備えられるものであることから、電磁排水弁の操作に際して、瞬時信号で開弁ないし閉弁操作ができ、操作電力消費を効果的に節減することができる。このため停電中開弁状態を保持するための大掛かりな補助電源は必要なく、電源コードにコンデンサーを付設するのみで簡単に設計できる。
本発明によれば、前記逆流防止弁は、ユニット組立体として、継ぎ手管の通路内に弾性環によって装着組立できるので、逆流防止弁ユニット組立体、継ぎ手管をそれぞれ個別に製作し、後付により簡単に組み立てることができる。
本発明によれば、弁箱に装着される電磁排水弁は、本体とこれに螺着されるカバーとの内部に止水球、ピストン、及びプランジャ、固定鉄心、コイル、永久磁石を包囲するフレームを組立装着されユニット化した構造物とすることができるので、ユニット化した電磁排水弁を一部品として、弁箱の前記接続部への組み込みを簡単に行うことができる。
【図面の簡単な説明】
【００１０】
【図１】本発明の凍結防止弁装置の外観斜視図である。
【図２】本発明の凍結防止弁装置を用いた給湯機の配管形態を示し、凍結防止弁装置の配管ラインにおける設置位置を丸囲いで示す。
【図３】図１のＡ−Ａ線に沿った逆流防止弁及び弁箱に係る断面図であり、（ａ）は給湯機の通常使用時における逆流防止弁の作動状態と共に流通状態を示し、（ｂ）は給湯機の停電時における逆流防止弁の作動状態と共に弁箱への流通状態を示す。
【図４】図１のＢ−Ｂ線に沿った水平方向の電磁排水弁、弁箱に係る断面図であり、図１のＢ−Ｂ線に沿った垂直方向の排水継手については背後に隠れるものであるが可視化のため敢えて水平方向に引き出して点線で表した断面図であり、（ａ）は給湯機の通常使用時における電磁排水弁の作動状態と共に流通状態を示し、（ｂ）は給湯機の停電時における電磁排水弁の作動状態と共に弁箱への流通状態を示す。
【図５】本発明の別の実施例を示し、図４に示す実施例に示した電磁排水弁の止水球に代えてリフト弁とし、前記弁箱の装着される電磁排水弁に対し本体の横孔にバイパス路を連絡させて継ぎ手管装着部を形成した弁箱を備える実施例として示し、（ａ）は給湯機の通常使用時における電磁排水弁の作動状態と共に流通状態を示し、（ｂ）は給湯機の停電時における電磁排水弁の作動状態と共に弁箱への流通状態を示す。この図における排水継手について、実施例１と同様図面表示上は本来的に背後に隠れるものであるが可視化のため、敢えて下向きに引き出して点線で表す。
【図６】従来例における、給湯機の配管形態である。
【発明を実施するための形態】
【００１１】
本発明は、ヒートポンプユニット、タンクユニット及び前記両ユニット間に接続される往き管及び戻り管の配管を備えたヒートポンプ式給湯機として、停電により電力供給の停止した場合にあっても、凍結防止対策の対処を一層確実にする給湯機の凍結防止システムを提供し、給湯機の凍結防止システムに組み込んだ凍結防止弁装置により、停電時には往き管及び戻り管の配管ライン内に水温加味した必要最小限の流水量の凍結防止の流れを創成しつつ排水させ、しかもこの凍結防止弁装置は、前記配管ラインに簡単にインライン組み込みすることができる。
【実施例１】
【００１２】
以下、本発明の実施形態について図面を参照しつつ説明する。
図１は本発明の凍結防止弁装置２０の外観図を示す。凍結防止弁装置２０は、逆流防止弁２０４を組み込んだ継ぎ手管２０１、継ぎ手管２０１を嵌合装着する継ぎ手管装着部２０２ａと排水継手２３４とを備えた弁箱２０２、弁箱２０２に装着する電磁排水弁２０３とにより組み立てられる。
図２は本発明の凍結防止弁装置２０（以下、「弁装置２０」と略記する）を用いた給湯機の配管形態を示し、弁装置２０の配管ラインにおける設置位置を丸囲いで示す。タンクユニット１３手前の垂直の戻り管１２の箇所に、本発明の弁装置２０が設けたことが、図６の従来例と比較して相違するところである。また、本発明の弁装置２０は、逆流防止弁２０４と前記電磁排水弁２０３が一体的に組み込まれたユニット体である。
【００１３】
次に図１、図３および図４を用いて、弁装置２０の具体的な構造について説明する。ここで図３は、図１のＡ−Ａ線に沿った逆流防止弁及び弁箱に係る断面図であり、（ａ）は給湯機の通常使用時における逆流防止弁の作動状態と共に流通状態を示し、（ｂ）は給湯機の停電時における逆流防止弁の作動状態と共に弁箱への流通状態を示す。また、図４は、  図１のＢ−Ｂ線に沿った水平方向及び一部垂直方向の電磁排水弁、弁箱及び継ぎ手管に係る断面図であり、（ａ）は給湯機の通常使用時における電磁排水弁の作動状態と共に流通状態を示し、（ｂ）は給湯機の停電時における電磁排水弁の作動状態と共に弁箱への流通状態を示す。本実施例の弁装置２０は、継ぎ手管２０１、３軸状の弁箱２０２、自己保持式のユニット化された電磁排水弁２０３、逆流防止弁２０４、排水継手２３４が主な部品構成となっている。ここで、逆流防止弁２０４はユニット化され、継ぎ手管２０１の内部流路に着脱自在に取付けられる。継ぎ手管２０１は逆流防止弁２０４の弁本体と位置づけされる部品でもある。また３軸状の弁箱２０２の直行する筒状部先端に排水継手２３４が装着され、排水継手２３４の排水口から排水可能である。
【００１４】
（継ぎ手管）
図３により継ぎ手管２０１について説明する。継ぎ手管２０１は、図３（ａ）に示すように、その下端外ねじにねじ接続可能な流入口２０６を備え、その上端内ねじにねじ接続可能な流出口２０７を備える。流入口２０６はヒートポンプユニット１１側に、流出口２０７がタンクユニット１３側になるように戻り管１２の配管中に接続される。本発明において、好ましくはこの継ぎ手管２０１は、特にタンクユニット１３直前の戻り管１２の垂直の管の箇所にねじ接続する。また流入口２０６と流出口２０７とは貫通した一本の流路として形成されており、逆流防止弁２０４はその流路途中に流出口２０７側からの水が逆流しない、言い換えればタンクユニット１３側からヒートポンプユニット１１側へ逆流しない向きに設けられる。本発明における逆流防止弁２０４は、カートリッジ式の逆流防止弁２０４として継ぎ手管２０１内流路に挿入し、Ｃ型クリップなどの弾性環２０８により脱落しないように装着される。また継ぎ手管２０１は、管路壁中間部に貫通する複数個の連絡横孔２０９が形成され、後述する弁箱２０２のバイパス路２１２と連通可能となっている。
【００１５】
（弁箱）
次に、弁箱２０２について説明する。前記した継ぎ手管２０１の外方に、その連絡横孔２０９の穿設された軸方向位置において、３軸状の筒体を備えた弁箱２０２を、その装着部２０２ａにおいて外装し、弾性環２１１により取付ける。これにより弁箱２０２は、継ぎ手管２０１の軸心に対して回転自在に装着される。両者の回転自在な装着状態において、継ぎ手管２０１と弁箱２０２とは２個のＯリング２１０により密封シールされ、端部を切り離したＣ型弾性環２１１により両者の離脱が防止される。さらに弁箱２０２は、図１、図４で示すように、装着部２０２ａの外方に側壁の一部を直交上に突出させその内部にバイパス路２１２を形成すると共に、その下流側に、図４（ａ）に示すように、横向きで開口して電磁排水弁をその本体部分において装着ための空室を備えた電磁排水弁装着部２１３を備え、さらに電磁排水弁装着部２１３となる空室の側壁の一部に、図３（ａ）（ｂ）に示すように、下向きに開口し排水する通路を備えた排水継手接続部２１４を設けられる。なお、この排水継手接続部２１４には、軸心が貫通した通路を有している排水継手２３４がねじ接続されている。弁箱２０２と継ぎ手管２０１の装着状態において、電磁排水弁が開放されたときには、継ぎ手管２０１の流入口２０６は連絡横孔２０９、バイパス路２１２、排水接続の通路と連通し、排水可能となる。
【００１６】
（自己保持式電磁排水弁ユニット）
本発明の電磁排水弁２０３は、自己保持型電磁排水弁ユニット２０３として組立てられ、弁箱２０２に装着される。電磁排水弁２０３は、図４（ａ）に示すように、電磁駆動部を収容するフレーム２１５と、開閉弁部を収容する本体２２６と、フレーム２１５を包囲し本体２２６の外側にねじ結合により取り付けるカバー２２８を備え、本体２２６の一端において、上記した弁箱２０２の電磁排水弁装着部２１３における空室に装着される。円筒状のフレーム２１５の中に、固定鉄心２１６、固定鉄心２１６を励磁するコイル部２１７、固定鉄心２１６の下方に設けたプランジャ２１９、プランジャ２１９の外方に設けた永久磁石２２０が納められ、コイル部２１７には電圧を印加するためのコード２１８が接続される。ここにおいて、電磁石部の操作では、通常ばね２２１により閉弁方向に付勢され閉弁維持されるが、プランジャ２１９が固定鉄心２１６に吸引されると永久磁石２２０によりプランジャ２１９が上方位置保持され、開弁状態に保持されることとなり、本発明の電磁排水弁２０３は、自己保持型電磁排水弁として作動するものである。
【００１７】
以下紙面上の方向を基準に説明する。
上記プランジャ２１９は、その下端部に、相互にねじ接続された上ピストン２２９と下ピストン２３０からなるピストン部品がピン２３１によって結合されている。下ピストン２３０の先端部は、円錐状に凹んだ形状を有し、止水球２２７の受け面を形成している。また、プランジャ２１９は、このプランジャ２１９を下方に押圧するばね２２１と係合し、これによりピストン部品を介して止水球２２７への閉弁方向の付勢力が与えられる。このため、ばね２２１は、フレーム２１５の下方とプランジャ２１９にピン２３１を介して連結された上ピストン２２９の鍔部との間に反発力を与えるように縮設して設けられる。図４（ａ）においてガイド２２２は、ばね２２１の側方を支持する部材である。なお、板状のパッキン２３２は、外周縁をガイド２２２と本体２２６間で、内周縁を上ピストン２２９と下ピストン２３０間で挟んで水密を保持するシール部材であり、これにより、フレーム２１５内部への水の浸入が防止される。径の異なる段状の凹部を有する本体２２６は、その最下段の凹部において、下端底部に上向き円錐状の弁座２２３と絞り孔２２４になる流水口と、さらに側壁に貫通する横孔２２５を有し、弁座２２３に止水球２２７が着座している。また、弁座２２３と対向する下ピストン２３０の先端面も、本体２２６の弁座２２３の形状と同様の円錐状の凹みを有しているので、弁開閉時において、止水球２２７は、下ピストン２３０と弁座２２３の円錐状に凹んだ箇所に収められる。以上から、上記の自己保持式電磁排水弁２０３は、弁部材、ピストン部材、プランジャ類を本体２２６内に収容し、電磁駆動部品を収容したフレーム２１５を本体２２６内に重ねて収容し、カバー２２８を螺着外装して、一つの弁部品としてユニット化されたものとして組立てられる。したがって上記の自己保持式電磁排水弁２０３は、自己保持式電磁排水弁ユニット２０３ということができる。上記の自己保持式電磁排水弁２０３は、弁箱２０２の電磁排水弁装着部２１３にねじ接続されており、自己保持式電磁排水弁２０３の嵌挿部外周に装着されるＯリング２３３および弁箱２０２側の嵌挿部内周に装着されるＯリング２３５により密封される。
【００１８】
（通常使用時）
次に給湯機１の通常使用時における凍結防止弁装置２０について、図３（ａ）および図４（ａ）を用いて説明する。
給湯機１の通常使用時においては、弁装置２０は、その電磁排水弁２０３が、図４（ａ）に示すように、逆電流の瞬間的な通電により閉弁作動すると、固定鉄心２１６の磁力が失われて、固定鉄心２１６とプランジャ２１９間で働く吸引力よりプランジャ２１９を弁座２２３側へ押圧するばね２２１の力が強く働く。これにより、プランジャ２１９は固定鉄心２１６から離脱し、プランジャ２１９先端部に接続された下ピストン２３０を介して、止水球２２７を弁座２２３に押圧し閉弁する。弁装置２０において、バイパス路２１２から排水口への湯が遮断され、ヒートポンプユニット１１からの湯が絞り孔２２４を介して排水継手２３４へと排水されることは無い。通常使用時この状態において、給湯機１においてヒートポンプユニット１１にて作られた湯は、バルブ装置２０内の流入口２０６、逆流防止弁２０４、流出口２０７を介してタンクユニット１３へと供給される。この時ばね２２１は、水圧で止水球２２７が弁座２２３から離脱しない程度の力が必要となることはもちろんである。
【００１９】
（停電時）
次に給湯機１の停電時における凍結防止弁装置２０について、図３（ｂ）および図４（ｂ）を用いて説明する。
図３（ｂ）は、図２のＡ−Ａ線に沿った逆流防止弁及び弁箱に係る給湯機の停電時における断面図であり、逆流防止弁の作動状態と共に弁箱への流通状態を示す。図４（ｂ）は、図２のＢ−Ｂ線に沿った水平方向及び一部垂直方向の電磁排水弁、弁箱及び継ぎ手管に係る給湯機の停電時における断面図であり、電磁排水弁の作動状態と共に弁箱への流通状態を示す。
停電が発生した時には、制御部からの瞬間的な信号によって凍結防止弁装置２０の自己保持式電磁排水弁２０３に電圧が印加する。なお、瞬間的な信号を印加する手段として、その停電が発生するまで蓄電していた電力を用いることができる。すると、電流の印加によりコイル部２１７を介して、固定鉄心２１６が磁力を持ち、この磁力が閉弁付勢用のばね２２１の力に勝り、ばね２２１を圧縮しつつプランジャ２１９が固定鉄心２１６に吸引される。それに伴って、プランジャ２１９の拘束力から開放された止水球２２７は、水圧によって弁座２２３から離脱し、絞り孔２２４、横孔２２５を通じた排水口への流路が確保される。これにより、戻り管１２の水は継ぎ手管２０１の流入口２０６、連絡横孔２０９、さらに弁箱２０２のバイパス路２１２、さらに自己保持式電磁排水弁２０３の本体２２６の絞り孔２２４及び横孔２２５を介して排水継手２３４から排水されることになる。
この停電時の電磁排水弁が開放され状態で、継ぎ手管２０１の流出口２０７の上流側に逆流防止弁２０４を設けているため、貯湯タンク１３ａ内上層位の湯が弁装置２０より下流側の戻り管１２から逆流して自己保持式電磁排水弁２０３を通じて排水継手２３４へと排水されることはない。またこのとき戻り管１２の水の排水に伴い往き管１４を通じては貯湯タンク１３ａ内下層位の給水がヒートポンプユニット１１へと供給され、自己保持式電磁排水弁２０３を通じて排水継手２３４へと排水する流れが形成されるので、タンクユニット１３の貯湯タンク１３ａ内上層位の湯はこの往き管１４を通じても排水継手２３４から排水されることがない。この逆流防止弁２０４は、停電による電磁排水弁開放時に、タンクユニット１３内の湯を無駄に排水させずに、停電による電磁排水弁開放時に排水流れ形成の排水ラインにおける凍結防止を効果的におこなう理由からバルブ装置２０内に設けられている。言い換えれば、本発明の凍結防止弁装置２０は、戻り管１２の終端近傍に設けられていることから、停電時に往き管１４、ヒートポンプユニット１１内に水の流れを発生させておくことができ、ヒートポンプユニット１１自体についてもこれが凍結しないようにするためでもある。
本発明の凍結防止弁装置を備える凍結防止システムによれば、停電時の凍結防止弁装置からの排水に拘わらず貯湯タンク１３ａ内の湯は無駄に排出されることなく確保されるので、回復時の給湯を即座に開始可能となり、これにより、ヒートポンプユニット１１による加熱された湯を有効に利用できるヒートポンプ式給湯機の凍結防止システムを提供することができる。
【００２０】
（停電回復）
停電が解除されると、凍結防止弁装置２０の自己保持式電磁排水弁２０３に、今度は上記と正逆が反転した電圧を印加するように、制御部からの信号が送られる。するとこれまで磁力を保持していた固定鉄心２１６が再度磁力を失い、プランジャ２１９がばね２２１により図面下方に付勢され、凍結防止弁装置２０は、図３（ａ）、図４（ａ）の状態に戻り、給湯機１の通常使用時の状態に復帰する。
【００２１】
本実施例に用いた自己保持式電磁排水弁２０３の電磁弁は、開栓、閉栓動作の切り替えの際に電力を瞬間的に消費するだけで、その後は通電されていなくても開栓もしくは閉栓状態を保持することができる利点があるため、本発明のような停電時の環境下で凍結防止のために用いる電磁弁としては最適である。
さらに、凍結防止弁装置において、前記弁箱に装着したユニット化された電磁排水弁の装着位置に対し、継ぎ手管装着部とのバイパス路を、本体の絞り孔又は横孔に連絡させることにより、電磁弁の止水形態を逆栓と正栓とに変更することができ、これによって、電磁排水弁装着部の装着寸法を変えるだけで簡単に、安価に弁箱の製作ができる。
【００２２】
本実施例では、凍結防止弁装置２０を戻り管１２の途中に設けているが、タンクユニット１３の中に内蔵させてユニット化しても良い。
【００２３】
また、上記において自己保持式電磁排水弁２０３の止栓体として、流出側の弁座２２３に着座する止水球２２７を例にして説明したが、この流出側で着座する止水球２２７なる構造のものに限るものではなく、止水球２２７を流入側に配置し、下プランジャから軸杆を延長して止水球２２７を開閉可能とする弁構造として採用することもできる。言い換えれば、止水形態として弁座２２３の絞り孔２２４をなす弁口において、流れに逆らって栓をする逆栓型の止栓体を、この実施例における弁座２２３を流入側に形成した上でその流入側の弁座２２３に配置することにより、正栓型の止栓体として組立てることは自由である。
【００２４】
なお、停電による電磁排水弁開放時に排水流れを創生する排水ラインにおいて、凍結防止を有効に行うための確認実験によれば、外気温度−２０℃、室内温度２０℃、水温１１℃、水道圧０．２６ＭＰａの条件下で、停電時に凍結防止弁装置２０からの排水量を絞り最低０．２Ｌ／ｍｉｎであれば、給湯機１の配管内で水の流れ（循環→排水）を保持でき、凍結防止できることが実験において明らかになった。
【実施例２】
【００２５】
図５は電磁排水弁に係る異なる実施例を示す。この実施例は図４に示す実施例に示した電磁排水弁の止水球２２７と下ピストン２３０に代えて下ピストン２３０自体をリフト弁とした下ピストン２３０利用のリフト弁２３０Ａを採用し、前記弁箱２０２の装着される電磁排水弁２０３における本体２２６の横孔２２５に対しバイパス路２１２を連絡させて継ぎ手管装着部２０２Ａを形成した弁箱２０２として備える実施例を示す。図５（ａ）は給湯機の通常使用時における電磁排水弁の閉鎖状態を示し、図５（ｂ）は給湯機の停電時において電磁排水弁が開弁した排水状態を示す。リフト弁２３０Ａは先の実施例における下ピストン２３０の下端にパッキン２３６を設けたものとして製作され、ばね負荷により弁座２２３Ａに着座する。電磁排水弁２０３を装着した前記弁箱２０２の電磁排水弁装着部２１３において、装着された本体２２６の横孔２２５に対応して、バイパス路２１２と連絡させて継ぎ手管装着部２０２Ａが形成されるものとした弁箱２０２として製作される。また排出継手２３４は、弁箱２０２の排出継手接続部２１４に接続され、このとき弁箱２０２に装着した本体２２６はその絞り孔２２４の流出側が弁箱２０２の排出継手接続部２１４に連通して接続される。なお、この排出継手２３４について、実施例１と同様、作図表現上本来的に背後に隠れるものであるが可視化のため敢えて下向きに引き出して点線で表してある。この実施例においては、弁箱２０２の電磁排水弁装着部２１３は実施例１に比較して長い寸法有して製作される。実施例２において、電磁排水弁２０３の弁閉鎖形態は正栓型のものに変更される。弁箱の製作に当って、電磁排水弁装着部２１３の長さ方向の寸法の工夫によって簡単に本体２２６の横孔２２５又は絞り孔２２４のいずれかに対応してバイパス路２１２と連絡する弁箱を得ることで対処することができる。
【００２６】
上記実施例１、実施例２により具体的弁体構造に則して説明してきたが、弁座に着座させる弁体の形状（止水球、平座弁）を以上の実施例に限定するものではなく、また、止栓形態（正栓、逆栓）についても弁体の配置を流出側、流入側に位置換えして適宜組立てることは自由である。
【符号の説明】
【００２７】
１          給湯機
１１          ヒートポンプユニット
１２          戻り管
１３          タンクユニット
１３ａ        貯湯タンク
１４          往き管
１５          給湯配管
１６          給水配管
１７          湯水抜栓
２０          凍結防止弁装置
２０１          継ぎ手管
２０２          弁箱
２０２ａ        継ぎ手管装着部
２０３          自己保持式電磁排水弁（ユニット）
２０４          逆流防止弁
２０６          流入口
２０７          流出口
２０８          弾性環
２０９          連絡横孔
２１０          Ｏリング
２１１          弾性環
２１２          バイパス路
２１３          電磁排水弁装着部
２１４          排水継手接続部
２１５          フレーム
２１６          固定鉄心
２１７          コイル部
２１８          コード
２１９          プランジャ
２２０          永久磁石
２２１          ばね
２２２          ガイド
２２３          弁座
２２４          絞り孔
２２５          横孔
２２６          本体
２２７          止水球
２２８          カバー
２２９          上ピストン
２３０          下ピストン
２３１          ピン
２３２          パッキン
２３３          Ｏリング
２３４          排水継手
２３５          Ｏリング
２３６          パッキン
【図１】
2010281533.tif 000003
【図２】
2010281533.tif 000004
【図３】
2010281533.tif 000005
【図４】
2010281533.tif 000006
【図５】
2010281533.tif 000007
【図６】
2010281533.tif 000008
【手続補正書】
【提出日】平成21年12月16日(2009.12.16)
【手続補正１】
【補正対象書類名】特許請求の範囲
【補正対象項目名】請求項１
【補正方法】変更
【補正の内容】
【請求項１】
（Ａ）ヒートポンプユニット、タンクユニット及び前記両ユニット間に接続される往き管及び戻り管の配管を備え、給水を加熱し貯蔵し給湯可能なヒートポンプ式給湯機において、
（Ｂ）湯を供給する戻り管の途中に、貯湯タンクへの給湯を許容する逆流防止弁と、通常閉弁し停電時その際の瞬間信号により開弁して戻り管の分岐排水を可能にすると共に、開弁状態に自己保持される電磁排水弁とを一体化して装着する弁箱を有した凍結防止弁装置を備え、
（Ｃ）当該凍結防止弁装置は、その自己保持型電磁排水弁を、瞬間信号により弁開作動し弁開位置に自己保持し又は瞬間信号により弁閉作動し弁閉位置に復帰可能にするともに、前記電磁排水弁がその自己保持された開弁時には弁座の絞り孔を通じて制限的に排水し、往き管から戻り管に接続された凍結防止弁装置の排水継手までの排水ライン内に継続的な排水流れを創成することとしたことを特徴とするヒートポンプ式給湯機の凍結防止シス。
【手続補正２】
【補正対象書類名】明細書
【補正対象項目名】０００６
【補正方法】変更
【補正の内容】
【０００６】
本発明は、上記課題を解決するために、先のヒートポンプ式給湯装置のように電磁弁と凍結防止弁の併用構造を取ることなく、自己保持型電磁排水弁と逆流防止弁との一体的な凍結防止弁装置によって、第１には、（Ａ）ヒートポンプユニット、タンクユニット及び前記両ユニット間に接続される往き管及び戻り管の配管を備え、給水を加熱し貯蔵し給湯可能なヒートポンプ式給湯機において、
（Ｂ）湯を供給する戻り管の途中に、貯湯タンクへの給湯を許容する逆流防止弁と、通常閉弁し停電時その際の瞬間信号により開弁して戻り管の分岐排水を可能にすると共に、開弁状態に自己保持される電磁排水弁とを一体化して装着する弁箱を有した凍結防止弁装置を備え、
（Ｃ）当該凍結防止弁装置は、その自己保持型電磁排水弁を、瞬間信号により弁開作動し弁開位置に自己保持し又は瞬間信号により弁閉作動し弁閉位置に復帰可能にするともに、前記電磁排水弁がその自己保持された開弁時には弁座の絞り孔を通じて制限的に排水し、往き管から戻り管に接続された凍結防止弁装置の排水継手までの排水ライン内に継続的な排水流れを創成することとしたことを特徴とするヒートポンプ式給湯機の凍結防止シスを提供する。
また本発明は、第２には、（ａ）ヒートポンプユニットとタンクユニットの間の戻り管に接続され、戻り管から分岐排水を可能にする凍結防止弁装置を、逆流防止弁と、通常閉弁し電磁石への信号付加により開弁すると共に開弁位置に自己保持される電磁排水弁とから構成し、（ｂ）その流入口を戻り管のヒートポンプユニット側に、その流出口を戻り管のタンクユニット側にそれぞれ接続される２方口継ぎ手管を弁本体とする前記逆流防止弁は、２方口継ぎ手管の内部に、貯湯タンクへ給湯のみを許容する逆止弁として装着配置されると共に、当該継ぎ手管の逆止弁体の上流側管壁に連絡横孔を備え、（ｃ）前記電磁排水弁は、電磁石と永久磁石を備えばね負荷常閉型弁を開弁する自己保持型電磁弁として弁箱のバイパス路と排水路との間の電磁排水弁装着部に装着されると共に、弁座には電磁排水弁の開栓排水時に排水を制限する絞り孔を備えてなり、（ｄ）凍結防止弁装置は、逆流防止弁を配置した継ぎ手管の外周に前記弁箱を回動自在に装着接続して、前記弁箱に装着された電磁排水弁と逆流防止弁との一体化構造となすと共に、継ぎ手管と弁箱と接続状態で弁箱のバイパス路を継ぎ手管の横孔と連通し電磁排水弁の開弁時、排水路を通じて排水可能とされ、（ｅ）凍結防止弁装置は、電磁排水弁の電磁石と永久磁石を有した駆動部に受けた瞬時信号により開弁自己保持位置に操作可能とされ、電磁排水弁の開弁位置において絞りながら排水すると共に往き管から戻り管に接続された凍結防止弁装置の排水継手までの排水ライン内に継続的な排水流れを創成し、一方逆流防止弁により貯湯タンクからの給湯の逆流を停止することを特徴とするヒートポンプ式給湯機の凍結防止システムの凍結防止弁装置を提供する。
【手続補正書】
【提出日】平成22年5月6日(2010.5.6)
【手続補正１】
【補正対象書類名】特許請求の範囲
【補正対象項目名】全文
【補正方法】変更
【補正の内容】
【特許請求の範囲】
【請求項１】
（Ａ）ヒートポンプユニット、タンクユニット及び前記両ユニット間に接続される往き管及び戻り管の配管を備え、給水を加熱し貯蔵し給湯可能なヒートポンプ式給湯機において、
（Ｂ）湯を供給する戻り管の途中に、貯湯タンクへの給湯を許容する逆流防止弁と、通常閉弁し停電時その際の瞬間信号により開弁して戻り管の分岐排水を可能にすると共に、開弁状態に自己保持される電磁排水弁とを一体化して装着する弁箱を有した凍結防止弁装置を備え、
（Ｃ）当該凍結防止弁装置は、その自己保持型電磁排水弁を、停電時その際の瞬間信号により弁開作動し弁開位置に自己保持し又は停電回復時その際の瞬間信号により弁閉作動し弁閉位置に復帰することを可能にするとともに、前記電磁排水弁がその自己保持された開弁時には弁座の絞り孔を通じて制限的に排水し、往き管から戻り管に接続された凍結防止弁装置の排水継手までの排水ライン内に継続的な排水流れを創成することとしたことを特徴とするヒートポンプ式給湯機の凍結防止システム。
【請求項２】
（ａ）ヒートポンプユニットとタンクユニットの間の戻り管に接続され、戻り管から分岐排水を可能にする凍結防止弁装置を、逆流防止弁と、通常閉弁し電磁石への信号付加により開弁すると共に開弁位置に自己保持される電磁排水弁とから構成し、
（ｂ）その流入口を戻り管のヒートポンプユニット側に、その流出口を戻り管のタンクユニット側にそれぞれ接続される２方口継ぎ手管を弁本体とする前記逆流防止弁は、２方口継ぎ手管の内部に、貯湯タンクへ給湯のみを許容する逆止弁として装着配置されると共に、当該継ぎ手管の逆止弁体の上流側管壁に連絡横孔を備え、
（ｃ）前記電磁排水弁は、電磁石と永久磁石を備えばね負荷常閉型弁を開弁する自己保持型電磁弁として弁箱のバイパス路と排水路との間の電磁排水弁装着部に装着されると共に、弁座には電磁排水弁の開栓排水時に排水を制限する絞り孔を備えてなり、
（ｄ）凍結防止弁装置は、逆流防止弁を配置した継ぎ手管の外周に前記弁箱を回動自在に装着接続して、前記弁箱に装着された電磁排水弁と逆流防止弁との一体化構造となすと共に、継ぎ手管と弁箱と接続状態で弁箱のバイパス路を継ぎ手管の横孔と連通し電磁排水弁の開弁時、排水路を通じて排水可能とされ、
（ｅ）凍結防止弁装置は、電磁排水弁の電磁石と永久磁石を有した駆動部に受けた瞬間信号により開弁自己保持位置に操作可能とされ、電磁排水弁の開弁位置において絞りながら排水すると共に往き管から戻り管に接続された凍結防止弁装置の排水継手までの排水ライン内に継続的な排水流れを創成し、一方逆流防止弁により貯湯タンクからの給湯の逆流を停止することを特徴とするヒートポンプ式給湯機の凍結防止システムの凍結防止弁装置。
【請求項３】
請求項２記載の凍結防止弁装置において、前記弁箱の装着される電磁排水弁に対し本体の絞り孔にバイパス路を連絡させて継ぎ手管装着部を形成した弁箱を備える凍結防止弁装置。
【請求項４】
請求項２記載の凍結防止弁装置において、前記弁箱の装着される電磁排水弁に対し本体の横孔にバイパス路を連絡させて継ぎ手管装着部を形成した弁箱を備える凍結防止弁装置。
【手続補正２】
【補正対象書類名】明細書
【補正対象項目名】０００６
【補正方法】変更
【補正の内容】
【０００６】
本発明は、上記課題を解決するために、先のヒートポンプ式給湯装置のように電磁弁と凍結防止弁の併用構造を取ることなく、自己保持型電磁排水弁と逆流防止弁との一体的な凍結防止弁装置によって、第１には、（Ａ）ヒートポンプユニット、タンクユニット及び前記両ユニット間に接続される往き管及び戻り管の配管を備え、給水を加熱し貯蔵し給湯可能なヒートポンプ式給湯機において、
（Ｂ）湯を供給する戻り管の途中に、貯湯タンクへの給湯を許容する逆流防止弁と、通常閉弁し停電時その際の瞬間信号により開弁して戻り管の分岐排水を可能にすると共に、開弁状態に自己保持される電磁排水弁とを一体化して装着する弁箱を有した凍結防止弁装置を備え、
（Ｃ）当該凍結防止弁装置は、その自己保持型電磁排水弁を、停電時その際の瞬間信号により弁開作動し弁開位置に自己保持し又は停電回復時その際の瞬間信号により弁閉作動し弁閉位置に復帰することを可能にするとともに、前記電磁排水弁がその自己保持された開弁時には弁座の絞り孔を通じて制限的に排水し、往き管から戻り管に接続された凍結防止弁装置の排水継手までの排水ライン内に継続的な排水流れを創成することとしたことを特徴とするヒートポンプ式給湯機の凍結防止システムを提供する。
また本発明は、第２には、（ａ）ヒートポンプユニットとタンクユニットの間の戻り管に接続され、戻り管から分岐排水を可能にする凍結防止弁装置を、逆流防止弁と、通常閉弁し電磁石への信号付加により開弁すると共に開弁位置に自己保持される電磁排水弁とから構成し、（ｂ）その流入口を戻り管のヒートポンプユニット側に、その流出口を戻り管のタンクユニット側にそれぞれ接続される２方口継ぎ手管を弁本体とする前記逆流防止弁は、２方口継ぎ手管の内部に、貯湯タンクへ給湯のみを許容する逆止弁として装着配置されると共に、当該継ぎ手管の逆止弁体の上流側管壁に連絡横孔を備え、（ｃ）前記電磁排水弁は、電磁石と永久磁石を備えばね負荷常閉型弁を開弁する自己保持型電磁弁として弁箱のバイパス路と排水路との間の電磁排水弁装着部に装着されると共に、弁座には電磁排水弁の開栓排水時に排水を制限する絞り孔を備えてなり、（ｄ）凍結防止弁装置は、逆流防止弁を配置した継ぎ手管の外周に前記弁箱を回動自在に装着接続して、前記弁箱に装着された電磁排水弁と逆流防止弁との一体化構造となすと共に、継ぎ手管と弁箱と接続状態で弁箱のバイパス路を継ぎ手管の横孔と連通し電磁排水弁の開弁時、排水路を通じて排水可能とされ、（ｅ）凍結防止弁装置は、電磁排水弁の電磁石と永久磁石を有した駆動部に受けた瞬間信号により開弁自己保持位置に操作可能とされ、電磁排水弁の開弁位置において絞りながら排水すると共に往き管から戻り管に接続された凍結防止弁装置の排水継手までの排水ライン内に継続的な排水流れを創成し、一方逆流防止弁により貯湯タンクからの給湯の逆流を停止することを特徴とするヒートポンプ式給湯機の凍結防止システムの凍結防止弁装置を提供する。